(57)【要約】  無線通信のための方法が提供される。この方法は、無線ネットワークにわたるハンドオーバ処理をトリガすることと、ハンドオーバ・メッセージの受信を容易にするために、複数の（ＡＲＱまたはＨＡＲＱ）通信処理においてハンドオーバ・メッセージを生成することとを含む。この方法は、ハンドオーバ・メッセージの受信を容易にするために、通信チャネルに関連付けられた電力を増加させることを含み、さらに、通信チャネルによって電力が増加された複数のメッセージを生成することをも含みうる。
2011525340.tif 000002
【特許請求の範囲】
【請求項１】
無線通信方法であって、
無線ネットワークにわたるハンドオーバ処理をトリガすること、
ハンドオーバ・メッセージの受信を容易にするために、複数の通信処理においてハンドオーバ・メッセージを生成すること、
または、前記ハンドオーバ・メッセージの受信を容易にするために、通信チャネルに関連付けられた電力レベルを増加させること、
からなる各動作を実施するために、コンピュータ読取可能記憶媒体に格納されたコンピュータ実行可能命令群を実行するプロセッサを適用することを備える方法。
【請求項２】
バースト反復処理にしたがって前記ハンドオーバ・メッセージを生成することをさらに備え、前記バーストは、予め定められた期間内に生成された複数のメッセージを含む請求項１に記載の方法。
【請求項３】
新たな通信リンクが確立される前に、既に確立されている通信リンクにしたがって、前記ハンドオーバ・メッセージが送信される請求項１に記載の方法。
【請求項４】
前記ハンドオーバ・メッセージは、リセットされたラジオ・リンク制御（ＲＬＣ）およびデータ転送処理にしたがって生成される請求項１に記載の方法。
【請求項５】
前記リセットされたラジオ・リンク制御およびデータ転送処理は、ハンドオーバ完了メッセージがユーザ機器によって生成されるまで遅らされる請求項４に記載の方法。
【請求項６】
前記ハンドオーバ処理は、ハイブリッド自動反復要求（ＨＡＲＱ）処理に関連付けられている請求項１に記載の方法。
【請求項７】
複数のハイブリッド自動反復要求（ＨＡＲＱ）処理を生成することをさらに備える請求項６に記載の方法。
【請求項８】
ハイブリッド自動反復要求（ＨＡＲＱ）処理毎に少なくとも１つのハンドオーバ・メッセージを生成することをさらに備える請求項７に記載の方法。
【請求項９】
ハイブリッド自動反復要求（ＨＡＲＱ）処理毎に複数のハンドオーバ・メッセージを生成することをさらに備える請求項８に記載の方法。
【請求項１０】
どのハンドオーバ・メッセージが送信されたかを判定するために媒体アクセス制御（ＭＡＣ）レイヤを分析することをさらに備える請求項９に記載の方法。
【請求項１１】
ハンドオーバ・メッセージの複製コピーを自動的に破棄することをさらに備える請求項９に記載の方法。
【請求項１２】
物理ダウンリンク共有チャネル（ＰＤＳＣＨ）における前記ハンドオーバ・メッセージの電力レベルを増加させることをさらに備える請求項１に記載の方法。
【請求項１３】
物理ダウンリンク制御チャネル（ＰＤＣＣＨ）における前記ハンドオーバ・メッセージの電力レベルを増加させることをさらに備える請求項１２に記載の方法。
【請求項１４】
所与の送信がハンドオーバ・メッセージを伝送するかを判定するために、通信レイヤを分析することをさらに備える請求項１３に記載の方法。
【請求項１５】
通信装置であって、
無線ネットワークにわたるハンドオーバ処理を生成し、
ハンドオーバ・メッセージの受信を容易にするために、複数の通信処理においてハンドオーバ・メッセージを送信し、
前記ハンドオーバ・メッセージの受信を容易にするために、ノード・チャネルに関連付けられた電力レベルを増加させる
ための命令群を保持するメモリと、
前記命令群を実行するプロセッサと
を備える通信装置。
【請求項１６】
バースト処理にしたがって前記ハンドオーバ・メッセージを計時することをさらに備え、前記バースト処理は、予め定められた期間内に生成された複数のメッセージを含む請求項１５に記載の通信装置。
【請求項１７】
前記ハンドオーバ・メッセージは、リセットされたラジオ・リンク制御（ＲＬＣ）およびデータ転送処理にしたがって生成される請求項１５に記載の通信装置。
【請求項１８】
前記ハンドオーバ処理は、ハイブリッド自動反復要求（ＨＡＲＱ）処理に関連付けられている請求項１５に記載の通信装置。
【請求項１９】
複数のハイブリッド自動反復要求（ＨＡＲＱ）処理を生成する構成要素をさらに備える請求項１８に記載の通信装置。
【請求項２０】
前記構成要素は、ハイブリッド自動反復要求（ＨＡＲＱ）処理毎に少なくとも１つのハンドオーバ・メッセージを生成する請求項１９に記載の通信装置。
【請求項２１】
前記構成要素は、ハイブリッド自動反復要求（ＨＡＲＱ）処理毎に複数のハンドオーバ・メッセージを生成する請求項２０に記載の通信装置。
【請求項２２】
どのハンドオーバ・メッセージが送信されたかを判定する通信レイヤをさらに備える請求項２１に記載の通信装置。
【請求項２３】
物理ダウンリンク共有チャネル（ＰＤＳＣＨ）または物理ダウンリンク制御チャネル（ＰＤＣＣＨ）における前記ハンドオーバ・メッセージの電力レベルを増加させることをさらに備える請求項１５に記載の通信装置。
【請求項２４】
通信装置であって、
無線ネットワークにわたるハンドオーバ・メッセージ処理を開始させる手段と、
前記ハンドオーバ・メッセージ処理の間、複数のハンドオーバ・メッセージを生成する手段と、
前記複数のハンドオーバ・メッセージを転送するために適用される１または複数のチャネルの電力レベルを増加させる手段と
を備える請求項１５に記載の通信装置。
【請求項２５】
複製ハンドオーバ・メッセージを破棄する構成要素をさらに備える請求項２４に記載の通信装置。
【請求項２６】
コンピュータ読取可能媒体であって、
ハンドオーバ・メッセージ処理の間に複数のハンドオーバ・メッセージを生成することと、
前記複数のハンドオーバ・メッセージを転送するために適用される１または複数のチャネルの電力レベルを増加させることとを備え、
ハンドオーバ・メッセージが検出された場合、前記チャネルにおける前記電力レベルが増加されるコンピュータ読取可能媒体。
【請求項２７】
複製ハンドオーバ・メッセージを破棄することをさらに備える請求項２６に記載のコンピュータ読取可能媒体。
【請求項２８】
無線ネットワークにわたるハンドオーバ・メッセージ処理を開始することと、
ハンドオーバ・メッセージ処理中に複数のハンドオーバ・メッセージを送信することと、
前記複数のハンドオーバ・メッセージを転送するために適用された１または複数のチャネルの送信電力レベルを増加させることと、
を実行するプロセッサ。
【請求項２９】
前記ハンドオーバ・メッセージのためのハイブリッド自動反復要求（ＨＡＲＱ）処理を開始することをさらに備える請求項２８に記載のプロセッサ。
【請求項３０】
無線通信のための方法であって、
ハンドオーバ・メッセージの受信を容易にするために、１または複数の通信処理において複数のハンドオーバ・メッセージを受信することと、
前記ハンドオーバ・メッセージの受信を容易にするために、増加された送信電力を有する、通信チャネルにわたるハンドオーバ・メッセージを受信することと、
からなる各動作を実施するために、コンピュータ読取可能記憶媒体に格納されたコンピュータ実行可能命令群を実行するプロセッサを適用することを備える方法。
【請求項３１】
バースト処理にしたがって前記ハンドオーバ・メッセージを生成することをさらに備え、
前記バースト処理は、予め定められた期間内に生成された複数のメッセージを含む請求項３０に記載の方法。
【請求項３２】
前記ハンドオーバ・メッセージは、リセットされたラジオ・リンク制御（ＲＬＣ）およびデータ転送処理にしたがって生成される請求項３０に記載の方法。
【請求項３３】
ハイブリッド自動反復要求（ＨＡＲＱ）処理に関連付けられたハンドオーバ処理を生成することをさらに備える請求項３０に記載の方法。
【請求項３４】
どのハンドオーバ・メッセージが送信されたかを判定するために媒体アクセス制御（ＭＡＣ）レイヤを分析することをさらに備える請求項３０に記載の方法。
【請求項３５】
ハンドオーバ・メッセージの複製コピーを自動的に破棄することをさらに備える請求項３０に記載の方法。
【請求項３６】
物理ダウンリンク共有チャネル（ＰＤＳＣＨ）または物理ダウンリンク制御チャネル（ＰＤＣＣＨ）におけるハンドオーバ・メッセージの電力レベルを増加させることをさらに備える請求項３０に記載の方法。
【請求項３７】
通信装置であって、
無線ネットワークにわたるハンドオーバ処理を受信することと、
ハンドオーバ・メッセージの受信を容易にするために、複数の通信処理においてハンドオーバ・メッセージを受信することと、
前記ハンドオーバ・メッセージの受信を容易にするために、ノードに関連付けられた電力レベルを増加させることと、
のための命令群を保持するメモリと、
前記命令群を実行するプロセッサと
を備える通信装置。
【請求項３８】
バースト処理にしたがって複数のハンドオーバ・メッセージを計時することをさらに備え、前記バースト処理は、予め定められた期間内に生成された複数のメッセージを含む請求項３７に記載の通信装置。
【請求項３９】
通信装置であって、
無線ネットワークにわたるハンドオーバ・メッセージ処理と通信する手段と、
前記ハンドオーバ・メッセージ処理の間に、複数のハンドオーバ・メッセージを受信する手段と、
前記複数のハンドオーバ・メッセージを転送するために適用される１または複数のチャネルを受信する手段と
を備える通信装置。
【請求項４０】
通信レイヤからのステータスに基づいて、前記チャネルにおける電力レベルを増加させる構成要素をさらに備える請求項３９に記載の通信装置。
【請求項４１】
コンピュータ読取可能媒体であって、
ハンドオーバ・メッセージ処理の間に複数のハンドオーバ・メッセージを受信することと、
前記複数のハンドオーバ・メッセージを転送するために適用される１または複数のチャネルの電力レベルを増加させることとを備え、
ハンドオーバ・メッセージが検出された場合、前記チャネルにおける前記電力レベルが増加されるコンピュータ読取可能媒体。
【請求項４２】
複製ハンドオーバ・メッセージを破棄することをさらに備える請求項４１に記載のコンピュータ読取可能媒体。
【請求項４３】
無線ネットワークにわたるハンドオーバ・メッセージ処理を受信することと、
前記ハンドオーバ・メッセージ処理の間、複数のハンドオーバ・メッセージを受信することと、
前記複数のハンドオーバ・メッセージを転送するために適用される、１または複数の電力が増加されたチャネルを処理することと、
を実行するプロセッサ。
【請求項４４】
前記ハンドオーバ・メッセージのためのハイブリッド自動反復要求（ＨＡＲＱ）処理を開始することをさらに備える請求項４３に記載のプロセッサ。
【発明の詳細な説明】
【優先権主張】
【０００１】
本願は、２００８年６月１９日に出願され“ＭＥＴＨＯＤ  ＴＯ  ＩＮＣＲＥＡＳＥ  ＴＨＥ  ＰＲＯＢＡＢＩＬＩＴＹ  ＯＦ  ＨＡＮＤＯＶＥＲ  ＭＥＳＳＡＧＥをＢＥＩＮＧ  ＲＥＣＥＩＶＥＤ  ＢＹ  ＲＥＣＥＩＶＥＲ”と題され参照によって本明細書にその全体が組み込まれている米国仮特許出願６１／０７３，９９４号の優先権を主張する。
【技術分野】
【０００２】
以下の記載は、一般に、無線通信システムに関し、さらに詳しくは、無線ネットワークのための高速データ・パケットのスケジューリングおよび処理に関する。
【背景技術】
【０００３】
無線通信システムは、例えば音声、データ等のような様々なタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰロング・ターム・イボリューション（ＬＴＥ）システム、および直交周波数分割多元接続（ＯＦＤＭＡ）システムを含んでいる。
【０００４】
直交周波数分割多重化（ＯＦＤＭ）通信システムは、多くのシステム帯域幅を、周波数サブチャネル、トーン、または周波数ビンとも称される複数（ＮＦ個）のサブキャリアに分割する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる時間インタバルのおのおのにおいて、変調シンボルは、ＮＦ個の周波数サブキャリアのおのおので送信されうる。したがって、ＯＦＤＭは、システム帯域幅にわたる異なる量の減衰によって特徴付けられる周波数選択性フェージングによって引き起こされるシンボル間干渉（ＩＳＩ）と格闘するために使用されうる。
【０００５】
一般に、無線多元接続通信システムは、順方向リンクおよび逆方向リンクによる送信によって１または複数の基地局と通信する複数の無線端末のための通信を同時にサポートしうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００６】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、ＮＳ個の独立したチャネルへ分解されうる。一般に、ＮＳ個の独立したチャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信と逆方向リンク送信とが、同じ周波数領域にある。これによって、アクセス・ポイントにおいて複数のアンテナが利用可能である場合、アクセス・ポイントは、順方向リンクで、送信ビームフォーミング・ゲインを抽出できるようになる。
【０００７】
現在、セル間のモビリティは、新たなリンクが確立される前に古いリンクがディセーブルされる「ハード・ハンドオーバ」による。これは、一般にＣＤＭＡネットワーク使用されているような、古いリンクがディセーブルされる前に新たなリンクが確立される「ソフト・ハンドオーバ」とは逆である。ハード・ハンドオーバの場合、すべてのハンドオーバ・メッセージが、古いセルから、現在最も弱い（かつ、さらに質が低下している）ラジオ・リンクを経由してのみ送信される。これは、ハード・ハンドオーバ・シナリオでは、ハンドオーバ・メッセージが失われるリスクが大きいことを示唆する。なぜなら、ソフト・ハンドオーバでは、ハンドオーバ・メッセージが両セルから送信され、これによって、信頼性が向上するからである。ハンドオーバ・メッセージによって、ラジオ・リンク制御（ＲＬＣ）がリセットされる。そして、ハンドオーバ後にユーザ機器（ＵＥ）からハンドオーバ完了メッセージが送出されるまで、データ転送が停止される。ハンドオーバの停止はまた、ハンドオーバをトリガするコンフィギュレーション・メッセージをＵＥが受信するのに費やされた時間にも依存する。ハンドオーバ時、ＵＥは、貧弱なセル有効通信範囲内にある可能性が高いので、ハンドオーバ・メッセージの受信が遅れる可能性が高い。
【発明の概要】
【０００８】
以下は、権利主張された主題のうちのいくつかの態様の基本的な理解を提供するために、簡単な概要を示す。この概要は、広範な概観ではなく、権利主張された主題の重要要素／決定的要素を特定することでもなく、範囲を線引きすることも意図されていない。その唯一の目的は、いくつかの概念を、後に示されるより詳細な記載に対する前置きとして、より簡単な形式で表すことである。
【０００９】
システムおよび方法は、ユーザ機器（ＵＥ）によるハンドオーバ・コンフィギュレーション・メッセージの受信確率を高めるために、無線ネットワークによって展開されうる多元通信オプションを提供する。それぞれのオプションは、ＵＥによるハンドオーバ・コンフィギュレーション・メッセージの受信確率を高めることによって、ハンドオーバ中におけるデータ転送の停止時間を短縮しうる。この結果、ハンドオーバ・パフォーマンスが改善される。１つの態様では、ネットワークによるハンドオーバ・メッセージの迅速な反復が提供される。したがって、ハンドオーバがトリガされると、ネットワークは、例えば、複数のハイブリッド自動反復要求（ＨＡＲＱ）処理によってハンドオーバ・メッセージを自動的に送信しうる。別の態様では、所与の送信がハンドオーバ・メッセージを伝送するか否かを示す高次レイヤ・インジケーションに基づいて、ネットワークが、チャネルの電力を選択的に増加させる場合、ハンドオーバ・メッセージの高電力での送信が提供される。また別の態様では、メッセージの受信確率をさらに高めるために、複数のハンドオーバ・メッセージが生成され、それぞれのメッセージについて、増加された電力が提供されるハイブリッド・アプローチが提供される。
【００１０】
前述した目的および関連する目的を達成するために、本明細書では、ある例示的な態様が、以下の説明および添付図面と関連して説明される。しかしながら、これらの態様は、権利主張された主題の原理が適用されるさまざまな方法のうちのほんのいくつかを示すのみであり、権利主張された主題は、そのようなすべての態様およびそれらの均等物を含むことが意図される。図面と連携して考慮された場合、以下に示す詳細説明から、その他の利点および斬新な特徴が明らかになりうる。
【図面の簡単な説明】
【００１１】
【図１】図１は、無線通信システムのために様々なハンドオーバ・メッセージ通信オプションを提供するシステムの高レベル・ブロック図である。
【図２】図２は、無線システムのためレイヤおよびチャネルの例を示す図である。
【図３】図３は、無線通信システムのための複数のハンドオーバ・メッセージ処理のフロー図である。
【図４】図４は、無線通信システムにおけるハンドオーバ・メッセージのための電力調節処理のフロー図である。
【図５】図５は、無線通信システムのためのハイブリッド・ハンドオーバ・メッセージ処理のフロー図である。
【図６】図６は、バースト・サイズ・プロセッサのための論理モジュールを例示する。
【図７】図７は、代替バースト・サイズ・プロセッサのための論理モジュールを例示する。
【図８】図８は、無線バースト・サイズ処理を適用する通信装置を例示する。
【図９】図９は、多元接続無線通信システムを例示する。
【図１０】図１０は、通信システムの例を示す。
【図１１】図１１は、通信システムの例を示す。
【発明を実施するための形態】
【００１２】
無線通信システムにおいて、ハンドオーバ・メッセージの受信確率を高めるシステムおよび方法が提供される。１つの態様では、無線通信のための方法が提供される。この方法は、様々な動作または処理を実施するために、コンピュータ読取可能格納媒体に格納されたコンピュータ実行可能命令群を実行するプロセッサを適用することを含む。この方法は、無線ネットワークにわたるハンドオーバ処理をトリガすることと、ハンドオーバ・メッセージの受信を容易にするために、複数の通信処理においてハンドオーバ・メッセージを生成することとを含む。この方法は、ハンドオーバ・メッセージの受信を容易にするために、通信チャネルに関連付けられた電力を増加させることを含み、また、通信チャネルによって提供される増加された電力を有する複数のメッセージを生成することをも含む。
【００１３】
図１を参照して、システム１００は、無線通信システムのための様々なハンドオーバ・メッセージ通信オプションを提供する。このオプションは、局、デバイス、あるいはチャネル間のセル・ハンドオーバ効率を高めるために提供される。このシステム１００は、（ノード、イボルブド・ノードＢ−ｅＮＢ、フェムト局、ピコ局等とも称され、）無線ネットワーク１１０によって第２のデバイス１３０（単数または複数）への通信が可能なエンティティでありうる１または複数の基地局１２０、１２４を含む。例えば、おのおののデバイス１３０は、（端末、ユーザ機器、局、またはモバイル・デバイスとも称される）アクセス端末でありうる。基地局１２０、１２４は、ダウンリンク１４０によってデバイス１３０にデータを通信し、アップリンク１５０によってデータを受信する。そのようなアップリンクおよびダウンリンクとしての指定は任意であり、デバイス１３０はまた、ダウンリンク・チャネルによってデータを送信し、アップリンク・チャネルによってデータを受信しうる。３つの構成要素１２０、１２４、１３０が示されているが、ネットワーク１１０では、３より多くの構成要素が提供されうることが注目される。ここで、そのような追加の構成要素は、本明細書に記載された無線処理およびメッセージ生成のために適用されうる。
【００１４】
図示するように、基地局１２０と基地局１２４との間で、ハンドオーバ・メッセージ・オプション１６０が処理される。この処理は、複数のハンドオーバ・メッセージおよびチャネルの生成／処理、ネットワーク・レイヤからの高次レイヤ・シグナリングの分析、および／または、それぞれのメッセージまたはチャネルのための送信機電力の増加のためのハンドオーバ構成要素１７０、１７４をそれぞれ含みうる。一般に、ユーザ機器（ＵＥ）１３０によるハンドオーバ・コンフィギュレーション・メッセージ（単数または複数）の受信確率を高めるために、無線ネットワーク１１０によって、ハンドオーバ・メッセージ・オプション１６０が展開されうる。それぞれのオプション１６０は、ＵＥ１３０によるハンドオーバ・コンフィギュレーション・メッセージの受信確率を高めることによって、ハンドオーバ中のデータ転送の停止時間を短縮しうる。この結果、ハンドオーバ・パフォーマンスが改善される。１つの態様では、ネットワークによるハンドオーバ・メッセージの迅速な反復（あるいはバースト）が提供される。したがって、ハンドオーバがトリガされた場合、ネットワーク１１０は、例えば、複数のハイブリッド自動反復要求（ＨＡＲＱ）処理（または、その他の通信処理）においてハンドオーバ・メッセージを自動送信しうる。別の態様では、ハンドオーバ・メッセージの高電力での送信が提供される。ここでは、所与の送信が、ハンドオーバ・メッセージを伝送／提供するか否かを示す高次レイヤ・インジケーションに基づいて、ネットワーク１１０が、チャネルの電力を選択的に増加させうる。また別の態様では、メッセージの受信確率をさらに高めるために、複数のハンドオーバ・メッセージが生成され、かつ、それぞれのメッセージについて、増加された電力が提供されるハイブリッド・アプローチが提供されうる。
【００１５】
メッセージ・オプション１６０は一般に、基地局１２０、１２４によって処理されることが注目される。他の構成も可能であることが認識されるべきである。例えば、図示していないが、ユーザ機器１３０はまた、局またはデバイス間のハンドオーバを開始または容易にする１または複数の態様を処理しうる。また別の態様では、ハンドオーバ処理のすべてまたは一部を容易にするために、（図示しない）別のネットワーク・デバイスが、適用されうる。さらに、ハンドオーバは、局間、デバイスと局との間、および／または、単一の局に関連付けられた通信チャネル間で生じうることが注目されるべきである。
【００１６】
別の態様では、無線通信のための様々な方法にしたがって、ハンドオーバ・メッセージ・オプションが処理されうる。この方法は、無線ネットワーク１１０にわたるハンドオーバ処理をトリガすることと、ハンドオーバ・メッセージの受信を容易にするために、複数の通信処理においてハンドオーバ・メッセージを生成することとを含む。オプションで、この方法は、ハンドオーバ・メッセージの受信を容易にするために、通信チャネルに関連付けられた電力を増加させることを含む。前述したように、ハイブリッド方法は、複数のメッセージ送信と連携して電力を増加させることを含みうる。ハンドオーバ・メッセージは、バースト反復処理にしたがって生成されうる。ここで、バーストは、予め定められた期間内に生成された複数のメッセージを含む（例えば、１ミリ秒以内に、少なくとも２つのハンドオーバ・メッセージを生成する）。ハンドオーバ・メッセージは一般に、新たな通信リンクが確立される前に、既に確立されている通信リンクにしたがって送信される。さらに、ハンドオーバ・メッセージは、リセットされたラジオ・リンク制御（ＲＬＣ）およびデータ転送処理にしたがって生成されうる。ここで、リセットされたラジオ・リンク制御およびデータ転送処理は、ユーザ機器１３０によってハンドオーバ完了メッセージが生成されるまで遅らされる。
【００１７】
ハンドオーバ処理は、ハイブリッド自動反復要求（ＨＡＲＱ）処理に関連付けられており、ハンドオーバ・オプション１６０にしたがって、複数のハイブリッド自動反復要求（ＨＡＲＱ）処理を生成することを含む。１つの態様では、少なくとも１つのハンドオーバ・メッセージが、ハイブリッド自動反復要求（ＨＡＲＱ）処理毎に生成される。別の態様では、ハイブリッド自動反復要求（ＨＡＲＱ）処理毎に複数のハンドオーバ・メッセージが生成される。この方法はさらに、どのハンドオーバ・メッセージが送信されたかを判定するために、媒体アクセス制御（ＭＡＣ）レイヤを分析することと、ハンドオーバの完了後に、ハンドオーバ・メッセージの複製コピーを自動的に破棄することとを含む。この方法は、例えば、物理ダウンリンク共有チャネル（ＰＤＳＣＨ）および／または物理ダウンリンク制御チャネル（ＰＤＣＣＨ）におけるハンドオーバ・メッセージの電力を増加させることを含みうる。これは、所与の送信が、ハンドオーバ・メッセージを伝送するかを判定するために、通信レイヤ（例えば、ＭＡＣレイヤ）を分析することを含みうる。システム１００によって適用されているそれぞれの方法は、図３乃至図５に関して以下により詳細に記載される。
【００１８】
システム１００は、アクセス端末またはモバイル・デバイスを備えて適用され、例えば、ＳＤカード、ネットワーク・カード、無線ネットワーク・カード、コンピュータ（例えば、ラップトップ、デスクトップ、情報携帯端末（ＰＤＡ）を含む）、モバイル電話、スマート・フォン、または、ネットワークにアクセスするために利用されうるその他任意の適切な端末のようなモジュールでありうることが注目される。端末は、（図示しない）アクセス構成要素を経由してネットワークにアクセスする。一例において、端末とアクセス構成要素との間の接続は、本質的に無線であり、ここでは、アクセス構成要素が基地局であり、モバイル・デバイスが無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重化（ＯＦＤＭ）、ＦＬＡＳＨ  ＯＦＤＭ、直交周波数分割多元接続（ＯＦＤＭＡ）、あるいはその他任意の適切なプロトコルを含む任意の適切な無線プロトコルによって通信することができる。
【００１９】
アクセス構成要素は、有線ネットワークあるいは無線ネットワークに関連付けられたアクセス・ノードでありうる。その目的のために、アクセス構成要素は、例えばルータ、スイッチ等となりうる。アクセス構成要素は、他のネットワーク・ノードと通信するために、例えば通信モジュールのような１または複数のインタフェースを含みうる。さらに、アクセス構成要素は、セルラ・タイプ・ネットワークにおける基地局（または無線アクセス・ポイント）でありうる。ここでは、複数の加入者へ無線有効通信範囲領域を提供するために、基地局（または無線アクセス・ポイント）が利用される。そのような基地局（あるいは無線アクセス・ポイント）は、１または複数のセルラ電話および／またはその他の無線端末に、有効通信範囲の連続した領域を提供する用に構成されうる。
【００２０】
図２に示すように、図解２００は、無線システムのためのチャネルおよびレイヤを例示する。図示するように、ハンドオーバ構成要素２１０、２２０（または、図示しないその他のハンドオーバ構成要素）は、通信レイヤ２３０を用いて通信している。例えば、レイヤ２３０は、他のネットワーク・レイヤの中でも、媒体アクセス制御（ＭＡＣ）レイヤを含みうる。ＨＡＲＱ処理および物理ダウンリンク共有チャネルおよび物理ダウンリンク制御チャネル（ＰＤＳＣＨ、ＰＤＣＣＨ）を含む様々なチャネルおよび処理２４０が、ハンドオーバ構成要素２１０およびハンドオーバ構成要素２２０間の通信のために提供されうる。ハンドオーバに関し、１つのノードＢ（または、より適切には、これら特定のテレコム規格のための“ｅＮＢ”）が、第２のｅＮＢへ通信をハンドオフしうることが認識されるべきである。したがって、ＵＥとの通信を失っているｅＮＢは、「ソースｅＮＢ」と称される一方、ＵＥとのアクセスを取得しているｅＮＢは、「ターゲットｅＮＢ｝と称される。
【００２１】
処理２４０に関し、自動反復要求（ＡＲＱ）は、信頼できるデータ送信を達成するためにアクノレッジメントとタイムアウトを用いるデータ送信のための誤り制御方法である。アクノレッジメントは、受信機がデータ・フレームを正しく受信したことを示すために、受信機によって送信機へ送信されるメッセージである。タイムアウトは、送信者が、タイムアウト前にアクノレッジメントを受信しない場合、アクノレッジメントを受信するまで、あるいは、予め定められた再送信回数を超えるまで、データ・フレームを通常、再送信できるように、送信者がデータ・フレームを送信した後に測定されるリーゾナブルな時点である。
【００２２】
ＡＲＱの変形は「ハイブリッドＡＲＱ」（ＨＡＲＱ）として知られている。ＨＡＲＱは、一般に、実装がより複雑になるものの、特に、無線チャネルにわたって、改善されたパフォーマンスを有するものと考えられている。ＨＡＲＱ処理２４０では、フォワード誤り訂正（ＦＥＣ）ビットが、既存の誤り検出（ＥＤ）ビットに追加される。その結果、ＨＡＲＱは、貧弱な信号条件において、通常のＡＲＱよりも良好に実行する。しかしながら、このような簡単な形式では、良好な信号条件において、スループットを低下させる。
【００２３】
図３乃至図５を参照して、無線通信方法が例示される。説明を簡単にする目的のために、これら方法（および本明細書に記載されたその他の方法）は、一連の動作として図示および説明されているが、いくつかの動作は、１または複数の態様によれば、本明細書に図示および記載されたものとは異なる順序で、および／または、他の動作と同時に生じうるので、これら方法は、これら動作順によって限定されないことが理解および認識されるべきである。例えば、当業者であれば、これら方法はその代わりに、例えば状態図におけるように、一連の相互関連する状態またはイベントとして表されうることを理解し認識するだろう。さらに、権利主張された主題にしたがって方法を実現するために、必ずしも例示されたすべての動作が利用される訳ではない。一般に、図３乃至図５の処理は、ユーザ機器によってハンドオーバ・メッセージが最小遅れで受信される確率を高める。これは、ノードまたはデバイス間のハンドオーバ中におけるより短い停止または遅れを含む。これは、特に、ハンドオーバによるサービス停止を許容できないリアル・タイムの、遅れに敏感なサービスの場合におけるエンド・ユーザ経験を改善する。
【００２４】
図３は、無線通信システムのための複数のハンドオーバ・メッセージ処理３００である。この態様では、ハンドオーバ処理は３１０でトリガされる。これは、ネットワークによるハンドオーバ・メッセージの迅速な反復、すなわち、バースト反復を含む。３１０でハンドオーバがトリガされると、ネットワークまたはノードは、３２０において、複数のＨＡＲＱ処理においてハンドオーバ・メッセージを自動的に送信しうる。３３０では、１または複数のハンドオーバ・メッセージが、３２０の各処理毎に生成される。これは、ＭＡＣによって転送されるハンドオーバ・メッセージの情報を含む。これによって、３３０では、複数あるいはすべてのＨＡＲＱ処理においてでさえも、重複送信が開始されるようになる。複数の（１より多い）ＨＡＲＱによるハンドオーバ・メッセージの送信は、同時に、ＵＥによるハンドオーバ・メッセージの受信確率を高める。３４０では、ユーザ機器（ＵＥ）において受信された複製コピーが破棄されうる。
【００２５】
図４は、無線通信システムにおけるハンドオーバ・メッセージのための電力調節処理４００である。この態様では、上述した図３に類似しており、ハンドオーバ処理が４１０においてトリガされる。これは、ハンドオーバ・メッセージを、より高い電力で送信することを含む。したがって、ネットワークまたはノードは、所与の送信がハンドオーバ・メッセージを伝送またはペイロードするか否かを示す４２０における高次レイヤにおけるインジケーションに基づいて、ＰＤＳＣＨ／ＰＤＣＣＨチャネルの電力を選択的に増加させうる。４３０において、このメッセージがハンドオーバ・メッセージである場合、ネットワークは、４４０において、低い再送信確率を目標にして、ＰＤＣＣＨ／ＰＤＳＣＨの電力を増加させる。これは、ハンドオーバ・メッセージが、ユーザ機器（ＵＥ）によって、迅速に品質を下げるラジオ・リンクで受信される確率を高める。これは、例えば、残った電力を用いることによって、干渉に最小の影響しか与えない方式で実行されうる。４３０において、ハンドオーバ・メッセージがチャネルで伝送されない場合、処理が終了するので、チャネル電力は増加されない。
【００２６】
図５は、無線通信システムのためのハイブリッド・ハンドオーバ・メッセージ処理５００である。この態様では、５１０においてハイブリッド処理がトリガされる。ここでは、ハンドオーバ・メッセージが送信されるいくつかまたはすべてのＨＡＲＱにおいて、メッセージが、迅速に反復されるか、あるいは、増加された電力でバーストされうる。このハンドオーバ・オプションは、ハンドオーバ・メッセージが、ユーザ機器によって受信される確率をさらに高めるために、（５２０に示す）図３の処理３００と、（５３０に示す）図４の処理４００とのハイブリッド・アプローチを提供する。５４０では、ハンドオーバ・メッセージ完了が生成または受信された後に、ハンドオーバ・メッセージ手順が終了する。ハイブリッド処理５００の間、図３および図４それぞれに示す処理動作のすべてまたは一部が実行されることが注目される。例えば、メッセージ制御レイヤの単一読取は、複数のハンドオーバ・メッセージの生成と、これらメッセージが送信されるチャネルにおける電力の増加との両方のために十分な情報を提供することができる。
【００２７】
本明細書に記載された技術処理は、様々な手段によって実現されうる。例えば、これらの技術は、ハードウェア、ソフトウェア、あるいはそれらの組み合わせで実現されうる。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアを用いた場合、本明細書に記載された機能を実行するモジュールによって実現される。ソフトウェア・コードは、メモリ・ユニット内に格納され、プロセッサによって実行されうる。
【００２８】
図６および図７に移って、無線信号処理に関連するシステムが提供される。これらのシステムは、プロセッサ、ソフトウェア、ハードウェア、ファームウェア、またはこれら任意の適切な組み合わせによって実現される機能を表しうる相互関連する一連の機能として表現される。
【００２９】
図６に示すように、無線通信システム６００が提供される。このシステム６００は、無線ネットワークにわたるハンドオーバ・メッセージ処理を開始するための論理モジュール６０２または手段を含む。これは、ハンドオーバ・メッセージ処理中に、複数のハンドオーバ・メッセージを生成するための論理モジュール６０４または手段を含む。このシステム６００はまた、複数のハンドオーバ・メッセージを転送するために適用され、１または複数のチャネルの電力を増加させるための論理モジュール６０６または手段をも含む。
【００３０】
１つの態様では、無線通信のための方法が提供される。この方法は、無線ネットワークにわたるハンドオーバ処理をトリガすること、ハンドオーバ・メッセージの受信を容易にするために、複数の通信処理においてハンドオーバ・メッセージを生成すること、または、ハンドオーバ・メッセージの受信を容易にするために、通信チャネルに関連付けられた電力レベルを増加させること、からなる各動作を実施するために、コンピュータ読取可能記憶媒体に格納されたコンピュータ実行可能命令群を実行するプロセッサを適用することを含む。この方法はさらに、バースト反復処理にしたがって、ハンドオーバ・メッセージを生成することを備える。ここで、バーストは、予め定められた期間内に生成された複数のメッセージを含む。これらのハンドオーバ・メッセージは、新たな通信リンクが確立される前に、既に確立されている通信リンクにしたがって送信される。これらのハンドオーバ・メッセージは、リセットされたラジオ・リンク制御（ＲＬＣ）およびデータ転送処理にしたがって生成される。ここで、リセットされたラジオ・リンク制御およびデータ転送処理は、ハンドオーバ完了メッセージがユーザ機器によって生成されるまで遅らされる。このハンドオーバ処理は、ハイブリッド自動反復要求（ＨＡＲＱ）処理に関連付けられており、複数のハイブリッド自動反復要求（ＨＡＲＱ）処理を生成することを含む。これはまた、ハイブリッド自動反復要求（ＨＡＲＱ）処理毎に少なくとも１つのハンドオーバ・メッセージを生成することと、ハイブリッド自動反復要求（ＨＡＲＱ）処理毎に複数のハンドオーバ・メッセージを生成することとを含む。この方法は、ハンドオーバ・メッセージが送信されたかを判定するために、媒体アクセス制御（ＭＡＣ）レイヤを分析することと、ハンドオーバ・メッセージの複製コピーを自動的に破棄することとを含む。これは、物理ダウンリンク共有チャネル（ＰＤＳＣＨ）におけるハンドオーバ・メッセージの電力を増加させること、および／または、物理ダウンリンク制御チャネル（ＰＤＣＣＨ）におけるハンドオーバ・メッセージの電力を増加させることを含む。この方法は、所与の送信がハンドオーバ・メッセージを伝送するかを判定するために、通信レイヤを分析することを含む。
【００３１】
別の態様では、通信装置が提供される。この装置は、無線ネットワークにわたるハンドオーバ処理を生成すること、ハンドオーバ・メッセージの受信を容易にするために、複数の通信処理においてハンドオーバ・メッセージを送信すること、および、ハンドオーバ・メッセージの受信を容易にするために、ノード・チャネルに関連付けられた電力を増加させることのための命令群を保持するメモリを含む。この装置は、これら命令群を実行するプロセッサを含む。これは、バースト処理にしたがって、複数のハンドオーバ・メッセージを計時することを含む。ここで、バースト処理は、予め定められた期間内に生成された複数のメッセージを含む。これらハンドオーバ・メッセージは、リセットされたラジオ・リンク制御（ＲＬＣ）およびデータ転送処理にしたがって生成される。ここで、ハンドオーバ処理は、ハイブリッド自動反復要求（ＨＡＲＱ）処理に関連付けられる。この通信装置は、複数のハイブリッド自動反復要求（ＨＡＲＱ）処理を生成する構成要素と、ハイブリッド自動反復要求（ＨＡＲＱ）処理毎に少なくとも１つのハンドオーバ・メッセージを生成する構成要素と、ハイブリッド自動反復要求（ＨＡＲＱ）処理毎に複数のハンドオーバ・メッセージを生成する構成要素とを含む。これは、どのハンドオーバ・メッセージが送信されたかを判定する通信レイヤを含んでいる。この通信装置は、物理ダウンリンク共有チャネル（ＰＤＳＣＨ）または物理ダウンリンク制御チャネル（ＰＤＣＣＨ）におけるハンドオーバ・メッセージの電力を増加させることを含む。
【００３２】
また別の態様では、ハンドオーバ・メッセージ処理中に、複数のハンドオーバ・メッセージを生成すること、および、複数のハンドオーバ・メッセージを転送するために適用される１または複数のチャネルの電力を増加させること、のためのコンピュータ読取可能媒体が提供される。ここで、電力は、ハンドオーバ・メッセージが検出された場合に、チャネルにおいて増加される。コンピュータ読取可能媒体は、複製ハンドオーバ・メッセージを破棄することを含む。
【００３３】
また、別の態様では、プロセッサが、無線ネットワークにわたるハンドオーバ・メッセージ処理を開始し、ハンドオーバ・メッセージ処理中に複数のハンドオーバ・メッセージを送信し、複数のハンドオーバ・メッセージを転送するために適用された１または複数のチャネルの送信電力レベルを増加させる、命令群を実行する。このプロセッサは、ハンドオーバ・メッセージのためのハイブリッド自動反復要求（ＨＡＲＱ）処理を開始することを含む。
【００３４】
別の態様では、無線通信のための方法が提供される。この方法は、ハンドオーバ・メッセージの受信を容易にするために、１または複数の通信処理において複数のハンドオーバ・メッセージを受信することと、ハンドオーバ・メッセージの受信を容易にするために、増加された送信電力を有する、通信チャネルにわたるハンドオーバ・メッセージを受信することとを含む。この方法は、バースト処理にしたがってハンドオーバ・メッセージを生成することを含む。ここで、バースト処理は、予め定められた期間内に生成された複数のメッセージを含む。これらハンドオーバ・メッセージは、リセットされたラジオ・リンク制御（ＲＬＣ）およびデータ転送処理によって生成される。この方法は、ハイブリッド自動反復要求（ＨＡＲＱ）処理に関連付けられたハンドオーバ処理を生成することと、どのハンドオーバ・メッセージが送信されたかを判定するために、媒体アクセス制御（ＭＡＣ）レイヤを分析することとを含む。これは、ハンドオーバ・メッセージの複製コピーを自動的に破棄することと、物理ダウンリンク共有チャネル（ＰＤＳＣＨ）または物理ダウンリンク制御チャネル（ＰＤＣＣＨ）におけるハンドオーバ・メッセージの電力を増加させることとを含む。
【００３５】
別の態様では、通信装置が提供される。この装置は、無線ネットワークにわたるハンドオーバ処理を受信すること、ハンドオーバ・メッセージの受信を容易にするために、複数の通信処理においてハンドオーバ・メッセージを受信すること、および、ハンドオーバ・メッセージの受信を容易にするために、ノードに関連付けられた電力を増加させること、のための命令群を保持するメモリを含む。これは、これら命令群を実行するとともに、バースト処理にしたがって複数のハンドオーバ・メッセージを計時するプロセッサを含む。このバースト処理は、予め定められた期間内に生成された複数のメッセージを含む。
【００３６】
別の態様では、ハンドオーバ・メッセージ処理の間、複数のハンドオーバ・メッセージを受信することと、複数のハンドオーバ・メッセージを転送するために適用される１または複数のチャネルの電力を増加させることと、を含むコンピュータ読取可能媒体が提供される。ここで、電力は、ハンドオーバ・メッセージが検出された場合に、チャネルにおいて増加される。このコンピュータ読取可能媒体は、複製ハンドオーバ・メッセージを破棄する命令群を含む。これはまた、これらメッセージのステータスを分析または生成することを含む。
【００３７】
また別の態様では、無線ネットワークにわたるハンドオーバ・メッセージ処理を受信すること、ハンドオーバ・メッセージ処理の間、複数のハンドオーバ・メッセージを受信すること、および、複数のハンドオーバ・メッセージを転送するために適用される、１または複数の電力が増加されたチャネルを処理すること、からなる命令群を実行するプロセッサが提供される。このプロセッサは、ハンドオーバ・メッセージのハイブリッド自動反復要求（ＨＡＲＱ）処理を開始することを含む。
【００３８】
図７を参照して、無線通信システム７００が提供される。このシステム７００は、無線ネットワークにわたるハンドオーバ・メッセージ処理を通信するための論理モジュール７０２または手段を含む。このシステム７００は、ハンドオーバ・メッセージ処理の間、複数のハンドオーバ・メッセージを受信する論理モジュール７０４または手段を含む。これは、複数のハンドオーバ・メッセージを転送するために適用される１または複数のチャネルを受信する論理モジュール７０６または手段を含む。
【００３９】
図８は、例えば無線端末のように、無線通信装置であり得る通信装置８００を例示する。通信装置８００は、さらに、あるいは、その代わりに、有線ネットワーク内に存在しうる。通信装置８００は、無線通信端末において信号の分析を実行するための命令群を保持しうるメモリ８０２を含みうる。さらに、通信装置８００は、メモリ８０２内の命令群、および／または、他のネットワーク・デバイスから受信した命令群を実行するプロセッサ８０４を含みうる。ここで、これら命令群は、通信装置８００または関連する通信装置を設定または動作させることに関連しうる。
【００４０】
図９を参照して、多元接続無線通信システム９００が例示される。多元接続無線通信システム９００は、セル９０２、９０４、９０６を含む複数のセルを含んでいる。この態様のシステム９００では、セル９０２、９０４、９０６は、複数のセクタを含むノードＢを含みうる。これら複数のセクタは、セルの一部内のＵＥとの通信を担当するアンテナをおのおの備えたアンテナのグループによって形成されうる。例えば、セル９０２では、アンテナ・グループ９１２、９１４および９１６は、おのおの異なるセクタに対応する。セル９０４では、アンテナ・グループ９１８、９２０および９２２は、おのおの異なるセクタに対応する。セル９０６では、アンテナ・グループ９２４、９２６および９２８は、おのおの異なるセクタに対応する。セル９０２、９０４、９０６は、例えばユーザ機器すなわちＵＥのようないくつかの無線通信デバイスを含みうる。これらは、各セル９０２、９０４、９０６のうちの１または複数のセクタと通信しうる。例えば、ＵＥ９３０、９３２は、ノードＢ９４２と通信し、ＵＥ９３４、９３６は、ノードＢ９４４と通信し、ＵＥ９３８、９４０は、ノードＢ９４６と通信しうる。
【００４１】
図１０を参照して、１つの態様にしたがった多元接続無線通信システムが例示される。アクセス・ポイント１０００（ＡＰ）は、１つは１００４および１００６を含み、別の１つのは１００８および１０１０を含み、さらに別の１つは１０１２および１０１４を含む複数のアンテナ・グループを含む。図１０では、おのおののアンテナ・グループについて２本のアンテナしか示されていない。しかしながら、おのおののアンテナ・グループについて、それより多くのまたはそれより少ないアンテナが利用されうる。アクセス端末１０１６（ＡＴ）は、アンテナ１０１２、１０１４と通信しており、アンテナ１０１２、１０１４は、順方向リンク１０２０によってアクセス端末１０１６へ情報を送信し、逆方向リンク１０１８によってアクセス端末１０１６から情報を受信する。アクセス端末１０２２は、アンテナ１００６、１００８と通信しており、アンテナ１００６、１００８は、順方向リンク１０２６によってアクセス端末１０２２へ情報を送信し、逆方向リンク１０２４によってアクセス端末１０２２から情報を受信する。ＦＤＤシステムでは、通信リンク１０１８、１０２０、１０２４、１０２６は、通信のために、異なる周波数を使用しうる。例えば、順方向リンク１０２０は、逆方向リンク１０１８によって使用されるものとは異なる周波数を使用しうる。
【００４２】
通信するように設計された領域および／またはアンテナのおのおののグループはしばしば、アクセス・ポイントのセクタと称される。おのおののアンテナ・グループは、アクセス・ポイント１０００によってカバーされる領域のセクタ内のアクセス端末と通信するように設計される。順方向リンク１０２０、１０２６による通信では、アクセス・ポイント１０００の送信アンテナは、別のアクセス端末１０１６、１０２４の順方向リンクの信号対雑音比を改善するために、ビームフォーミングを利用する。さらに、有効通信範囲にわたってランダムに散在しているアクセス端末へ送信するためにビームフォーミングを用いるアクセス・ポイントは、すべてのアクセス端末へ単一のアンテナによって送信しているアクセス端末よりも、近隣セル内のアクセス端末に対して、少ない干渉しかもたらさない。アクセス・ポイントは、端末と通信するために使用される固定局であり、アクセス・ポイント、ノードＢ、またはその他いくつかの用語でも称されうる。アクセス端末はまた、アクセス端末、ユーザ機器（ＵＥ）、無線通信デバイス、端末、アクセス端末、あるいはその他いくつかの専門用語で称されうる。
【００４３】
図１１を参照して、システム１１００は、ＭＩＭＯシステム１１００において、（アクセス・ポイントとしても知られている）送信機システム２１０と、（アクセス端末としても知られている）受信機システム１１５０とを例示する。送信機システム１１１０では、多くのデータ・ストリーム用のトラフィック・データが、データ・ソース１１１２から送信（ＴＸ）データ・プロセッサ１１１４に提供される。おのおののデータ・ストリームは、それぞれの送信アンテナを介して送信される。ＴＸデータ・プロセッサ１１１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００４４】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１１３０によって実行される命令群によって決定されうる。
【００４５】
すべてのデータ・ストリームの変調シンボルは、（例えば、ＯＦＤＭのために）変調シンボルをさらに処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。ある実施形態では、ＴＸ  ＭＩＭＯプロセッサ１１２０は、データ・ストリームのシンボル、および、データ・シンボルが送信されるアンテナに、ビーム・フォーミング重みを適用する。
【００４６】
おのおのの送信機１１２２は、それぞれのシンボル・ストリームを受信して、処理することにより、１または複数のアナログ信号を提供し、さらに、これらアナログ信号を調整（例えば、増幅、フィルタ、およびアップコンバート）して、ＭＩＭＯチャネルを介した送信のために適切な変調信号を提供する。送信機１１２２ａ乃至１１２２ｔからのＮＴ個の変調信号が、その後、ＮＴ個のアンテナ１１２４a乃至１１２４ｔからそれぞれ送信される。
【００４７】
受信機システム１１５０では、送信された変調信号が、ＮＲ個のアンテナ１１５２a乃至１１５２ｒによって受信され、アンテナ１１５２のおのおのからの受信信号が、それぞれの受信機（ＲＣＶＲ）１１５４a乃至１１５４ｒへ提供される。おのおのの受信機１１５４は、それぞれの受信信号を調整（例えば、フィルタ、増幅、およびダウンコンバート）し、これら調整された信号をデジタル化してサンプルを提供し、さらに、これらサンプルを処理して、対応する「受信された」シンボル・ストリームを提供する。
【００４８】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。その後、ＲＸデータプロセッサ１１６０は、検出されたおのおののシンボル・ストリームを復調、逆インタリーブ、および復号して、これらデータ・ストリームのためのトラフィック・データを復元する。ＲＸデータ・プロセッサ１１６０による処理は、送信機システム１１１０におけるＴＸ  ＭＩＭＯプロセッサ１１２０およびＴＸデータ・プロセッサ１１１４によって実行されるものと相補的である。
【００４９】
プロセッサ１１７０は、上述したように、どの事前符合化行列を使用するのかを定期的に決定する。さらに、プロセッサ１１７０は、行列インデクス部およびランク値部を備えた逆方向リンク・メッセージを規定することができる。これら逆方向リンク・メッセージは、通信リンクおよび／または受信データ・ストリームに関する様々なタイプの情報を含みうる。逆方向リンク・メッセージはその後、データ・ソース１１３６から多くのデータ・ストリームのトラフィック・データをも受信するTXデータ・プロセッサ１１３８によって処理され、変調器１１８０によって変調され、送信機１１５４ａ乃至１１５４ｒによって調整され、送信機システム１１１０へ送り戻される。
【００５０】
送信機システム１１１０では、受信機システム１１５０からの変調信号が、アンテナ１１２４によって受信され、受信機１１２２によって調整され、復調器１１４０によって復調され、ＲＸデータ・プロセッサ１１４２によって処理されて、受信機システム１１５０によって送信された逆方向リンク・メッセージが抽出される。その後、プロセッサ１１３０は、ビームフォーミング重みを決定するためにどの事前符号化行列を使用するのかを決定し、抽出されたメッセージを処理する。
【００５１】
態様では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。論理トラフィック・チャネルは、ユーザ情報の転送のために、１つのＵＥに特化されたポイント・トゥ・ポイント双方向チャネルである専用トラフィック・チャネル（ＤＴＣＨ）を備える。トラフィック・データを送信するためのポイント・トゥ・マルチポイントＤＬチャネルのためのマルチキャスト・トラフィック・チャネル（ＭＴＣＨ）。
【００５２】
伝送チャンネルはＤＬとＵＬに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００５３】
ＤＬ  ＰＨＹチャネルは、例えば、以下を備える。共通パイロット・チャネル（ＣＰＩＣＨ）、同期チャンネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページングインジケータ・チャネル（ＰＩＣＨ）、および、負荷インジケータ・チャネル（ＬＩＣＨ）。
【００５４】
ＵＬ  ＰＨＹチャネルは、例えば、以下を備える。物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および、ブロードバンド・パイロット・チャネル（ＢＰＩＣＨ）。
【００５５】
他の用語／構成要素は、以下を含む。３Ｇ  第３世代、３ＧＰＰ  第３世代パートナシップ計画、ＡＣＬＲ  隣接チャネル・リーク比、ＡＣＰＲ  隣接チャネル電力比、ＡＣＳ  隣接チャネル選択性、ＡＤＳ  アドバンスト設計システム、ＡＭＣ  適応性変調および符号化、Ａ−ＭＰＲ  追加最大電力減少、ＡＲＱ  自動反復要求、ＢＣＣＨ  ブロードキャスト制御チャネル、ＢＴＳ  基地トランシーバ局、ＣＤＤ  サイクリック遅延ダイバーシティ、ＣＣＤＦ  余累積分布関数、ＣＤＭＡ  符号分割多元接続、ＣＦＩ  制御フォーマット・インジケータ、Ｃｏ−ＭＩＭＯ  協同ＭＩＭＯ、ＣＰ  サイクリック・プレフィクス、ＣＰＩＣＨ  共通パイロット・チャネル、ＣＰＲＩ  共通パブリック・ラジオ・インタフェース、ＣＱＩ  チャネル品質インジケータ、ＣＲＣ  巡回冗長検査、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ダウンリンク（基地局から加入者への送信）、ＤＬ−ＳＣＨ  ダウンリンク共有チャネル、Ｄ−ＰＨＹ  ５００Ｍｂｐｓ物理レイヤ、ＤＳＰ  デジタル信号処理、ＤＴ  開発ツール・セット、ＤＶＳＡ  デジタル・ベクトル信号分析、ＥＤＡ  電子設計オートメーション、Ｅ−ＤＣＨ  エンハンスト専用チャネル、Ｅ−ＵＴＲＡＮ  イボルブドＵＭＴＳ地上ラジオ・アクセス・ネットワーク、ｅＭＢＭＳ  イボルブド・マルチメディア・ブロードキャスト・マルチキャスト・サービス、ｅＮＢ  イボルブド・ノードＢ、ＥＰＣ  イボルブド・パケット・コア、ＥＰＲＥ  リソース要素毎のエネルギ、ＥＴＳＩ  欧州電気通信標準協会、Ｅ−ＵＴＲＡ  イボルブドＵＴＲＡ、Ｅ−ＵＴＲＡＮ  イボルブドＵＴＲＡＮ、ＥＶＭ  誤りベクトル大きさ、および、ＦＤＤ  周波数分割デュプレクス。
【００５６】
また、その他の用語は、以下を含む。ＦＦＴ  高速フーリエ変換、ＦＲＣ  固定基準チャネル、ＦＳ１  フレーム構造タイプ１、ＦＳ２  フレーム構造タイプ２、ＧＳＭ（登録商標）  グローバル・システム・フォー・モバイル通信、ＨＡＲＱ  ハイブリッド自動反復要求、ＨＤＬ  ハードウェア記述言語、ＨＩ  ＨＡＲＱインジケータ、ＨＳＤＰＡ  高速ダウンリンク・パケット・アクセス、ＨＳＰＡ  高速パケット・アクセス、ＨＳＵＰＡ  高速アップリンク・パケット・アクセス、ＩＦＦＴ  逆ＦＦＴ、ＩＯＴ  インタオペラビリティ・テスト、ＩＰ  インターネット・プロトコル、ＬＯ  局部発振器、ＬＴＥ  ロング・ターム・イボリューション、ＭＡＣ  媒体アクセス制御、ＭＢＭＳ  マルチメディア・ブロードキャスト・マルチキャスト・サービス、ＭＢＳＦＮ  マルチキャスト／ブロードキャスト・オーバ単一周波数ネットワーク、ＭＣＨ  マルチキャスト・チャネル、ＭＩＭＯ  複数入力複数出力、ＭＩＳＯ  複数入力単一出力、ＭＭＥ  モビリティ管理エンティティ、ＭＯＰ  最大出力電力、ＭＰＲ  最大電力低減、ＭＵ−ＭＩＭＯ  複数ユーザＭＩＭＯ、ＮＡＳ  非アクセス階層、ＯＢＳＡＩ  オープン基地局アーキテクチャ・インタフェース、ＯＦＤＭ  直交周波数分割多重化、ＯＦＤＭＡ  直交周波数分割多元接続、ＰＡＰＲ  ピーク対平均電力比、ＰＡＲ  ピーク対平均比、ＰＢＣＨ  物理ブロードキャスト・チャネル、Ｐ−ＣＣＰＣＨ  プライマリ共通制御物理チャネル、ＰＣＦＩＣＨ  物理制御フォーマット・インジケータ・チャネル、ＰＣＨ  ページング・チャネル、ＰＤＣＣＨ  物理ダウンリンク制御チャネル、ＰＤＣＰ  パケット・データ収束プロトコル、ＰＤＳＣＨ  物理ダウンリンク共有チャネル、ＰＨＩＣＨ  物理ハイブリッドＡＲＱインジケータ・チャネル、ＰＨＹ  物理レイヤ、ＰＲＡＣＨ  物理ランダム・アクセス・チャネル、ＰＭＣＨ  物理マルチキャスト・チャネル、ＰＭＩ  事前符号化行列インジケータ、Ｐ−ＳＣＨ  プライマリ同期信号、ＰＵＣＣＨ  物理アップリンク制御チャネル、および、ＰＵＳＣＨ  物理アップリンク共有チャネル。
【００５７】
他の用語は以下を含む。ＱＡＭ  直交振幅変調、ＱＰＳＫ  直交フェーズ・シフト・キーイング、ＲＡＣＨ  ランダム・アクセス・チャネル、ＲＡＴ  ラジオ・アクセス技術、ＲＢ  リソース・ブロック、ＲＦ  ラジオ周波数、ＲＦＤＥ  ＲＦ設計環境、ＲＬＣ  ラジオ・リンク制御、ＲＭＣ  基準測定チャネル、ＲＮＣ  ラジオ・ネットワーク・コントローラ、ＲＲＣ  ラジオ・リソース制御、ＲＲＭ  ラジオ・リソース管理、ＲＳ  基準信号、ＲＳＣＰ  受信信号符号電力、ＲＳＲＰ  基準信号受信電力、ＲＳＲＱ  基準信号受信品質、ＲＳＳＩ  受信信号強度インジケータ、ＳＡＥ  システム・アーキテクチャ・イボリューション、ＳＡＰ  サービス・アクセス・ポイント、ＳＣ−ＦＤＭＡ  シングル・キャリア周波数分割多元接続、ＳＦＢＣ  空間−周波数ブロック符号化、Ｓ−ＧＷ  サービス提供ゲートウェイ、ＳＩＭＯ  単一入力複数出力、ＳＩＳＯ  単一入力単一出力、ＳＮＲ  信号対雑音比、ＳＲＳ  サウンディング基準信号、Ｓ−ＳＣＨ  セカンダリ同期信号、ＳＵ−ＭＩＭＯ  シングル・ユーザＭＩＭＯ、ＴＤＤ  時分割デュプレクス、ＴＤＭＡ  時分割多元接続、ＴＲ  技術報告書、ＴｒＣＨ  伝送チャネル、ＴＳ  技術仕様書、ＴＴＡ  テレコミュニケーション技術協会、ＴＴＩ  送信時間インタバル、ＵＣＩ  アップリンク制御インジケータ、ＵＥ  ユーザ機器、ＵＬ  アップリンク（加入者から基地局への送信）、ＵＬ−ＳＣＨ  アップリンク共有チャネル、ＵＭＢ  ウルトラ・モバイル・ブロードバンド、ＵＭＴＳ  ユニバーサル移動体通信システム、ＵＴＲＡ  ユニバーサル地上ラジオ・アクセス、ＵＴＲＡＮ  ユニバーサル地上ラジオ・アクセス・ネットワーク、ＶＳＡ  ベクトル信号アナライザ、Ｗ−ＣＤＭＡ  広帯域符号分割多元接続。
【００５８】
本明細書では、さまざまな態様が、端末に関して記載されることに注目されたい。端末はまた、システム、ユーザ・デバイス、加入者ユニット、加入者局、移動局、モバイル・デバイス、遠隔局、遠隔端末、アクセス端末、ユーザ端末、ユーザ・エージェント、あるいはユーザ機器とも称されうる。ユーザ・デバイスは、セルラ電話、コードレス電話、セッション初期化プロトコル（ＳＩＰ）電話、無線ローカル・ループ（ＷＬＬ）局、ＰＤＡ、無線接続機能を有する携帯型デバイス、端末内モジュール、（例えば、ＰＣＭＣＩＡカードのように）ホスト・デバイスに接続または統合されたカード、あるいは、無線モデムに接続されたその他の処理デバイスでありうる。
【００５９】
さらに、権利主張された主題の態様は、権利主張された主題のさまざまな態様を実現するために、コンピュータまたは計算構成要素を制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。さらに、音声メールの送信または受信の際、あるいは、例えばセルラ・ネットワークのようなネットワークにアクセスする際に使用されるようなコンピュータ読取可能電子データを搬送するために搬送波が適用されうることが認識されるべきである。もちろん、当業者であれば、本明細書に記載された精神または範囲から逸脱することなく多くの変形が、この構成とされうることを認識するだろう。
【００６０】
本明細書で使用されているように、用語「構成要素」、「モジュール」、「システム」、「プロトコル」等は、ハードウェア、ハードウェアとソフトウェアとの組み合わせ、ソフトウェア、あるいは実行中のソフトウェアのうちの何れかであるコンピュータ関連エンティティを称することが意図されていうる。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバで動作中のアプリケーションと、サーバとの両方が構成要素になりえる。１または複数の構成要素は、プロセッサ、および／または、実行スレッド内に存在しており、構成要素は、１つのコンピュータに局在化しているか、および／または、複数のコンピュータ間に分散されうる。
【００６１】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011525340.tif 000003
【図２】
2011525340.tif 000004
【図３】
2011525340.tif 000005
【図４】
2011525340.tif 000006
【図５】
2011525340.tif 000007
【図６】
2011525340.tif 000008
【図７】
2011525340.tif 000009
【図８】
2011525340.tif 000010
【図９】
2011525340.tif 000011
【図１０】
2011525340.tif 000012
【図１１】
2011525340.tif 000013
【国際調査報告】
2011525340.tif 000014
2011525340.tif 000015
2011525340.tif 000016